(57)【要約】【課題】肉厚を薄くしても穿刺部位に導入するときに先端部の捲れを防止することができるイントロデューサー用シースを提供する。【解決手段】イントロデューサー用シース１０は、長尺体を挿通自在な中空部を備える管状部材から形成され、外径が先細りしてなる先端部１１ａと一定の外径からなる本体部１１ｂとを備えるシースチューブ１１を設けている。このシースチューブ１１の先端部１１ａは、軸方向に平行した断面において、長尺体を突出させる端部１１ａａから径方向内方に凹状に湾曲した凹状部１１ａｂと、凹状部１１ａｂに連ねられ径方向外方に凸状に湾曲した凸状部１１ａｃとを備えている。【選択図】図４
2015109881.tif 000002
【特許請求の範囲】
【請求項１】
長尺体を挿通自在な中空部を備える管状部材から形成され、外径が先細りしてなる先端部と、一定の外径からなる本体部とを備えるイントロデューサー用シースであって、
前記先端部は、軸方向に平行した断面において、前記長尺体を突出させる端部から径方向内方に凹状に湾曲した凹状部と、前記凹状部に連ねられ径方向外方に凸状に湾曲した凸状部とを備える外形形状を有するイントロデューサー用シース。
【請求項２】
前記凹状部または前記凸状部の外形形状は、二次曲線状に湾曲した外形形状である請求項１に記載のイントロデューサー用シース。
【請求項３】
前記二次曲線状に湾曲した外形形状は、放物線状に湾曲した外形形状である請求項２に記載のイントロデューサー用シース。
【発明の詳細な説明】
【技術分野】
【０００１】
本発明は、イントロデューサー用シースに関する。
【背景技術】
【０００２】
近年医療において、カテーテルと呼ばれる細長い中空管状の医療器具を用いて様々な形態の治療や検査が行われている。このような治療方法としては、カテーテルの長尺性を利用して次のような治療用カテーテルを用いた手技が行われている。すなわち、カテーテルにより直接患部に薬剤を投与する方法、加圧によって拡張するバルーンを先端に取り付けたカテーテルを用いて体腔内の狭窄部を押し広げて開く方法、先端部にカッターが取り付けられたカテーテルを用いて患部を削り取って開く方法、逆にカテーテルを用いて動脈瘤や出血箇所あるいは栄養血管に詰め物をして閉じる方法等がある。また、体腔内の狭窄部を開口した状態に維持するために、側面が網目状になっている管形状をしたステントをカテーテルを用いて体腔内に埋め込んで留置する治療方法等がある。また、血管を閉塞する血栓を吸引すること等がある。
【０００３】
カテーテルを用いて治療・検査等を行う場合には、一般的に、カテーテルイントロデューサーを使用して、腕または脚に形成された穿刺部位にイントロデューサー用シースを導入し、イントロデューサー用シースの内腔を介してカテーテル等を経皮的に血管等の病変部に挿入している。
【０００４】
イントロデューサー用シースは、カテーテル等の長尺体を挿通自在な中空部を備える管状部材であるシースチューブから形成されている（特許文献１を参照）。イントロデューサー用シースは、穿刺部位への導入時に先端側となる先端部と、先端部の基端側に位置する本体部とを備えている。
【先行技術文献】
【特許文献】
【０００５】
【特許文献１】特開平８−１３１５５２号公報
【発明の概要】
【発明が解決しようとする課題】
【０００６】
イントロデューサー用シースの外径を小さくすることにより皮膚や血管に穿刺容易としたり、イントロデューサー用シースの内径を大きくすることにより径大の長尺体を挿通可能としたりするためには、イントロデューサー用シースの肉厚を薄くすることが好ましい。
【０００７】
しかしながら、イントロデューサー用シースの肉厚を薄くすると、そのイントロデューサー用シースを皮膚や血管に穿刺するときに、先端部が捲れやすくなるという問題が生じる。従来のイントロデューサー用シースには、先端部の捲れを防止した上で肉厚を薄く形成した構成は見あたらない。
【０００８】
そこで、本発明の目的は、肉厚を薄くしても穿刺部位に導入するときに先端部の捲れを防止することができるイントロデューサー用シースを提供することにある。
【課題を解決するための手段】
【０００９】
上記目的は、以下の手段により達成される。
【００１０】
（１）長尺体を挿通自在な中空部を備える管状部材から形成され、外径が先細りしてなる先端部と、一定の外径からなる本体部とを備えるイントロデューサー用シースであって、前記先端部は、軸方向に平行した断面において、前記長尺体を突出させる端部から径方向内方に凹状に湾曲した凹状部と、前記凹状部に連ねられ径方向外方に凸状に湾曲した凸状部とを備える外形形状を有するイントロデューサー用シース。
【００１１】
（２）前記凹状部または前記凸状部の外形形状は、二次曲線状に湾曲した外形形状である上記（１）に記載のイントロデューサー用シース。
【００１２】
（３）前記二次曲線状に湾曲した外形形状は、放物線状に湾曲した外形形状である上記（２）に記載のイントロデューサー用シース。
【発明の効果】
【００１３】
本発明によれば、イントロデューサー用シースの先端部を軸方向に平行した断面において、長尺体を突出させる端部から径方向内方に凹状に湾曲した凹状部と、その凹状部に連ねられ径方向外方に凸状に湾曲した凸状部とを備えていることにより、肉厚を薄くしても、穿刺部位に導入するときに先端部の捲れを防止することができる。
【００１４】
具体的には、イントロデューサー用シースの先端部が、その端部から径方向内方に凹状に湾曲した凹状部を備えていることにより、端部が鋭角に形成されている。したがって、イントロデューサー用シースの先端部を穿刺部位に導入するときに、鋭角に形成された端部が穿刺部位から応力を受けにくく、端部が捲れることなく穿刺部位に挿入させることができる。
【００１５】
さらに、イントロデューサー用シースの先端部が、凹状部に連ねられ径方向外方に凸状に湾曲した凸状部を備えており、その凸状部は十分な肉厚で形成されている。したがって、イントロデューサー用シースの先端部の端部を穿刺部位に挿入した後に、凸状部が穿刺部位からより大きな応力を受けても、十分な肉厚で形成された凸状部が捲れたり、蛇腹状に縮んだり、捩れたりすることなく穿刺部位に挿通させることができる。
【００１６】
ここで、イントロデューサー用シースの先端部の凹状部または凸状部を、二次曲線状に湾曲した形状にした場合、次の効果を奏する。すなわち、イントロデューサー用シースの先端部の凹状部または凸状部を穿刺部位に導入するときに、先端部の凹状部または凸状部が穿刺部位から受ける応力を均等に分散して緩和させることができる。したがって、イントロデューサー用シースの先端部の凹状部または凸状部を穿刺部位に導入するとき、その先端部の凹状部または凸状部に応力が集中して捲れてしまうことを効果的に防止できる。
【００１７】
さらに、イントロデューサー用シースの二次曲線状に湾曲した先端部の凹状部または凸状部を、放物線状に湾曲した形状にした場合、次の効果を奏する。すなわち、イントロデューサー用シースの先端部の凹状部または凸状部を穿刺部位に導入するときに、先端部の凹状部または凸状部が穿刺部位から受ける応力をその先端部の凹状部または凸状部の外形に沿って均等に分散して緩和させることができる。したがって、イントロデューサー用シースの先端部の凹状部または凸状部を穿刺部位に導入するとき、その先端部の凹状部または凸状部に応力が集中して捲れてしまうことをより効果的に防止できる。
【図面の簡単な説明】
【００１８】
【図１】本実施形態に係るイントロデューサー用シースを適用したイントロデューサー組立体を示す平面図である。
【図２】イントロデューサー組立体をイントロデューサー用シースとダイレーターに分解して示す平面図である。
【図３】イントロデューサー用シースのシースチューブを示す斜視図である。
【図４】イントロデューサー用シースのシースチューブを断面で示す斜視図である。
【図５】イントロデューサー用シースのシースチューブを断面で示す平面図である。
【図６】イントロデューサー用シースの先端部における捲れ発生の有無を穿刺試験用皮膜にイントロデューサー組立体を挿入することにより検証した方法を（Ａ）〜（Ｃ）の順で示す模式図である。
【図７】イントロデューサー用シースのシースチューブの変形例を示す斜視図である。
【図８】イントロデューサー用シースのシースチューブの変形例を断面で示す斜視図である。
【図９】イントロデューサー用シースのシースチューブの変形例を断面で示す平面図である。
【発明を実施するための形態】
【００１９】
以下、添付した図面を参照しながら、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２０】
＜本実施形態＞
本実施形態に係るイントロデューサー用シース１０は、体腔内へのアクセスルートを確保するための器具である。このイントロデューサー用シース１０は、体腔内へ留置される。このようなイントロデューサー用シース１０の内部に、診断用器具である造影用カテーテルや治療用器具であるバルーンまたはステント等を挿通して体腔内へ導入する。なお、以下の説明において、イントロデューサー組立体１の手元操作部側を「基端側」、体腔内へ挿通される側を「先端側」と称す。
【００２１】
まず、本実施形態に係るイントロデューサー用シース１０を適用したイントロデューサー組立体１の構成について、図１〜図５を参照しながら具体的に説明する。
【００２２】
なお、図１は、本実施形態に係るイントロデューサー用シース１０を適用したイントロデューサー組立体１を示す平面図である。また、図２は、イントロデューサー組立体１をイントロデューサー用シース１０とダイレーター２０に分解して示す平面図である。さらに、図３は、イントロデューサー用シース１０を示す斜視図である。同様に、図４は、イントロデューサー用シース１０を断面で示す斜視図である。同様に、図５は、イントロデューサー用シース１０を断面で示す平面図である。
【００２３】
イントロデューサー組立体１は、図１または図２に示すように、体腔内へのアクセスルートを確保するイントロデューサー用シース１０と、経皮的に体腔内へ留置するイントロデューサー用シース１０の挿入を補助するダイレーター２０とを有している。以下、イントロデューサー組立体１のイントロデューサー用シース１０およびダイレーター２０について詳述する。
【００２４】
イントロデューサー用シース１０は、体腔内へのアクセスルートを確保する。
【００２５】
具体的には、イントロデューサー用シース１０は、体腔内へ留置された後、診断用器具である造影用カテーテルや治療用器具であるバルーンまたはステント等が内部に挿通され体腔内へ導入される。このようなイントロデューサー用シース１０は、たとえば、シースチューブ１１、シースハブ１２、止血弁１３、サイドポート１４、チューブ１５、および三方活栓１６を備えている。以下、イントロデューサー用シース１０に備えられた各構成について順に説明する。
【００２６】
イントロデューサー用シース１０のシースチューブ１１は、経皮的に体腔内へ留置された後、診断用器具である造影用カテーテルや治療用器具であるバルーンまたはステント等が内部に挿通され体腔内へ導入される。このようなシースチューブ１１は、たとえば細長い管状に形成され、その基端側がシースハブ１２の先端側に接続されている。
【００２７】
ここで、シースチューブ１１は、図３〜図５に示すように、外径が先細りした先端部１１ａと外径が一定の本体部１１ｂからなる。特に、シースチューブ１１の先端部１１ａは、図５に示すように、軸方向に平行した断面からみた場合、長尺体を突出させる端部１１ａａから径方向内方に凹状に湾曲した凹状部１１ａｂと、その凹状部１１ａｂに連ねられ径方向外方に凸状に湾曲した凸状部１１ａｃとを備えている。すなわち、先端部１１ａにおいて、凹状部１１ａｂの基端側と凸状部１１ａｃの先端側が、変曲部１１ａｂｃを介して、なめらかに連なるように形成されている。さらに、シースチューブ１１の凹状部１１ａｂまたは凸状部１１ａｃの外形形状は、図４に示すように、二次曲線状に湾曲している。また、シースチューブ１１の二次曲線状に湾曲した凹状部１１ａｂまたは凸状部１１ａｃの外形形状は、たとえば、放物線状である。
【００２８】
また、シースチューブ１１は、ポリオレフィン（たとえば、ポリエチレン、ポリプロピレン、ポリブテン、エチレン−プロピレン共重合体、エチレン−酢酸ビニル共重合体、アイオノマー、またはこれら二種以上の混合物等）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミド、芳香族ポリエーテルケトン等の高分子材料、またはこれらの混合物等で形成することができる。さらに、シースチューブ１１は、エチレンテトラフルオロエチレン共重合体（ＥＴＦＥ）で形成することが好ましいが、材質に限定されることはない。
【００２９】
イントロデューサー用シース１０のシースハブ１２は、シースチューブ１１とサイドポート１４とを内部で連通させ、止血弁１３を内蔵する。このようなシースハブ１２は、たとえば内部に空洞を設けた長方形状から形成され、シースチューブ１１の基端側に接続されている。ここで、シースハブ１２は、先端側にたとえば軟質樹脂からなるキンク防止部材を設け、そのキンク防止部材によりイントロデューサー用シース１０の屈曲を緩衝する。また、シースハブ１２は、キンク防止部材を除き、ポリエチレン、ポリプロピレン等のポリオレフィン、ポリアミド、ポリカーボネート、ポリスチレン等の硬質樹脂で形成することが好ましいが、材質に限定されることはない。
【００３０】
イントロデューサー用シース１０の止血弁１３は、シースチューブ１１を介して血管内から流出する血液を止血する。このような止血弁１３は、たとえば略楕円形状から形成され、シースハブ１２の内部に液密の状態で固定されている。また、止血弁１３は、弾性を有するシリコーンゴム、ラテックスゴム、ブチルゴム、イソプレンゴム等で形成することが好ましいが、材質に限定されることはない。
【００３１】
イントロデューサー用シース１０のサイドポート１４は、シースチューブ１１とチューブ１５とを連通する。このようなサイドポート１４は、たとえば円筒形状から形成され、その一端がシースチューブ１１と接続され、その他端がチューブ１５と液密に接続されている。
【００３２】
イントロデューサー用シース１０のチューブ１５は、サイドポート１４と三方活栓１６とを連通する。このようなチューブ１５は、たとえば湾曲可能な円筒形状から形成され、その一端がサイドポート１４と接続され、その他端が三方活栓１６と液密に接続されている。また、チューブ１５は、たとえば可撓性を有するポリブタジエンで形成することが好ましいが、材質に限定されることはない。
【００３３】
イントロデューサー用シース１０の三方活栓１６は、チューブ１５およびサイドポート１４を介して、イントロデューサー用シース１０に対してたとえば生理食塩水のような液体を注入する。このようなチューブ１５は、円筒形状から形成され、その一端がサイドポート１４に接続されている。
【００３４】
ダイレーター２０は、経皮的に体腔内へ留置するイントロデューサー用シース１０の挿入を補助する。
【００３５】
具体的には、ダイレーター２０は、皮膚の穿孔を拡径し、イントロデューサー用シース１０のシースチューブ１１を血管内に挿入するときにそのシースチューブ１１が折れることを防止する。このようなダイレーター２０は、たとえば、ダイレーターチューブ２１およびダイレーターハブ２２を備えている。以下、ダイレーター２０に備えられた各構成について順に説明する。
【００３６】
ダイレーター２０のダイレーターチューブ２１は、シースチューブ１１内に挿通され、経皮的に体腔内へ留置するイントロデューサー用シース１０の挿入を補助する。すなわち、シースチューブ１１内に挿通されたダイレーターチューブ２１は、図１に示すように、その基端側の先端がシースチューブ１１の先端から突出した状態となる。このようなダイレーターチューブ２１は、たとえば細長い管状に形成され、その基端側がダイレーターハブ２２の先端側に接続されている。
【００３７】
また、ダイレーターチューブ２１は、ポリオレフィン（たとえば、ポリエチレン、ポリプロピレン、ポリブテン、エチレン−プロピレン共重合体、エチレン−酢酸ビニル共重合体、アイオノマー、またはこれら二種以上の混合物等）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミド、芳香族ポリエーテルケトン等の高分子材料またはこれらの混合物等で形成することができる。
【００３８】
ダイレーター２０のダイレーターハブ２２は、シースハブ１２に対してダイレーターチューブ２１を着脱自在に保持する。このようなダイレーターハブ２２は、たとえば段差を有する円柱形状から形成され、ダイレーターチューブ２１の基端側に接続されている。また、シースハブ１２は、ポリエチレン、ポリプロピレン等のポリオレフィン、ポリアミド、ポリカーボネート、ポリスチレン等の硬質樹脂で形成することが好ましいが、材質に限定されることはない。
【００３９】
次に、本実施形態に係るイントロデューサー用シース１０における捲れ発生の防止に係る検証結果について、図６および表１を参照しながら具体的に説明する。
【００４０】
なお、図６は、イントロデューサー用シース１０のシースチューブ１１の先端部１１ａにおける捲れ発生の有無を、牛皮等からなる穿刺試験用皮膜１００にイントロデューサー組立体を挿入することにより検証した方法を（Ａ）〜（Ｃ）の順で示す模式図である。
【００４１】
図６（Ａ）は、穿刺試験用皮膜１００にイントロデューサー組立体１を挿入する直前の状態を示している。ここで、図示していないが、予め、穿刺針を穿刺試験用皮膜１００に対して３０度の角度で穿刺した後に抜去し、ガイドワイヤー４０を挿入している。また、イントロデューサー組立体１は、ガイドワイヤー４０に沿わせ、穿刺試験用皮膜１００に対して３０度の角度で挿入する。
【００４２】
図６（Ｂ）は、穿刺試験用皮膜１００にイントロデューサー組立体１を挿入している途中の状態に相当し、シースチューブ１１の先端部１１ａが穿刺試験用皮膜１００に接触している。ここで、図６（Ｂ）に示すように、シースチューブ１１の先端部１１ａは、穿刺試験用皮膜１００に接触し負荷が掛っているものの、捲れは発生していない。
【００４３】
図６（Ｃ）は、穿刺試験用皮膜１００にイントロデューサー組立体１を挿入し終えた状態に相当し、シースチューブ１１の先端部１１ａが穿刺試験用皮膜１００を突き抜けている。ここで、図６（Ｃ）に示すように、シースチューブ１１の先端部１１ａは、穿刺試験用皮膜１００を突き抜けるときに負荷が掛ったものの、捲れは発生していない。
【００４４】
表１に示すように、本実施形態に係るイントロデューサー用シース１０と、対比例に係るシースチューブの先端部の外形状が直線的なテーパー状に形成されたシースについて、図６（Ａ）〜図６（Ｃ）に示す検証を７回ずつ実施した。本実施形態に係るイントロデューサー用シース１０の場合、計７回の検証において、シースチューブ１１の先端部１１ａの捲れが目視で確認されなかった。一方、対比例に係るシースの場合、計７回の検証において、５回目を除き、シースチューブの先端部の捲れが目視で確認された。
【００４５】
【表１】
2015109881.tif 000003
【００４６】
ここで、本実施形態に係るイントロデューサー用シース１０のシースチューブ１１に係る変形例であるシースチューブ３１について、図７〜図９を参照しながら説明する。
【００４７】
なお、図７は、本実施形態に係るイントロデューサー用シース１０のシースチューブ３１を示す斜視図である。また、図８は、イントロデューサー用シース１０のシースチューブ３１を断面で示す斜視図である。同様に、図９は、イントロデューサー用シース１０のシースチューブ３１を断面で示す平面図である。
【００４８】
シースチューブ３１は、図７〜図９に示すように、外径が先細りした先端部３１ａと外径が一定の本体部３１ｂからなる。このシースチューブ３１の先端部３１ａは、軸方向に平行した断面からみた場合、長尺体を突出させる端部３１ａａから径方向内方に凹状に湾曲した凹状部３１ａｂと、その凹状部３１ａｂに連ねられ径方向外方に凸状に湾曲した凸状部３１ａｃとを備えている。すなわち、先端部３１ａにおいて、凹状部３１ａｂの基端側と凸状部３１ａｃの先端側が、変曲部３１ａｂｃを介して、なめらかに連なるように形成されている。
【００４９】
さらに、シースチューブ３１の先端部３１ａは、凸状部３１ａｃの基端側に位置し軸方向との角度が平行になる変曲部３１ｃａから径方向内方に凹状に湾曲した凹状部３１ａｄと、その凹状部３１ａｂに連ねられ径方向外方に凸状に湾曲した凸状部３１ａｅとを備えている。すなわち、先端部３１ａにおいて、凹状部３１ａｄの基端側と凸状部３１ａｅの先端側が、変曲部３１ａｄｅを介して、なめらかに連なるように形成されている。ここで、凸状部３１ａｅの基端側に位置し軸方向との角度が平行になる変曲部３１ｃｂが、本体部３１ｂに連ねられている。このように、シースチューブの先端部に備えられる凹状部と凸状部を一組とした場合、その組数は、特に限定されることはない。
【００５０】
上述した本実施形態によれば、以下の効果を奏する。
【００５１】
本実施形態によれば、イントロデューサー用シース１０のシースチューブ１１の先端部１１ａを軸方向に平行した断面において、長尺体を突出させる端部から径方向内方に凹状に湾曲した凹状部と、その凹状部に連ねられ径方向外方に凸状に湾曲した凸状部とを備えていることにより、肉厚を薄くしても、穿刺部位に導入するときに先端部の捲れを防止することができる。
【００５２】
すなわち、本実施形態によれば、シースチューブ１１の先端部１１ａが、その端部１１ａａから径方向内方に凹状に湾曲した凹状部１１ａｂを備えていることにより、端部１１ａａが鋭角に形成されている。したがって、シースチューブ１１の先端部１１ａを穿刺部位に導入するときに、鋭角に形成された端部１１ａａが穿刺部位から応力を受けにくく、端部１１ａａが捲れることなく穿刺部位に挿入させることができる。さらに、シースチューブ１１の先端部１１ａが、凹状部１１ａｂに連ねられ径方向外方に凸状に湾曲した凸状部１１ａｃを備えており、その凸状部１１ａｃは十分な肉厚で形成されている。したがって、シースチューブ１１の先端部１１ａの端部１１ａａを穿刺部位に挿入した後に、凸状部１１ａｃが穿刺部位からより大きな応力を受けても、十分な肉厚で形成された凸状部１１ａｃが捲れたり、蛇腹状に縮んだり、捩れたりすることなく穿刺部位に挿通させることができる。
【００５３】
さらに、本実施形態によれば、イントロデューサー用シース１０のシースチューブ１１の先端部１１ａの凹状部１１ａｂまたは凸状部１１ａｃの外形形状を、二次曲線状に湾曲した形状にすることができる。このようにシースチューブ１１の先端部１１ａの凹状部１１ａｂまたは凸状部１１ａｃの形状を形成すれば、シースチューブ１１の先端部１１ａの凹状部１１ａｂまたは凸状部１１ａｃを穿刺部位に導入するときに、先端部１１ａの凹状部１１ａｂまたは凸状部１１ａｃが穿刺部位から受ける応力を均等に分散して緩和させることができる。したがって、シースチューブ１１の先端部１１ａの凹状部１１ａｂまたは凸状部１１ａｃを穿刺部位に導入するとき、その先端部１１ａの凹状部１１ａｂまたは凸状部１１ａｃに応力が集中して捲れてしまうことを効果的に防止できる。
【００５４】
また、本実施形態によれば、イントロデューサー用シース１０のシースチューブ１１の二次曲線状に湾曲した先端部１１ａの凹状部１１ａｂまたは凸状部１１ａｃの外形形状を、放物線状に湾曲した形状にすることができる。このようにシースチューブ１１の先端部１１ａの凹状部１１ａｂまたは凸状部１１ａｃの形状を形成すれば、シースチューブ１１の先端部１１ａの凹状部１１ａｂまたは凸状部１１ａｃを穿刺部位に導入するときに、先端部１１ａの凹状部１１ａｂまたは凸状部１１ａｃが穿刺部位から受ける応力をその先端部１１ａの凹状部１１ａｂまたは凸状部１１ａｃの外形に沿って均等に分散して緩和させることができる。したがって、シースチューブ１１の先端部１１ａの凹状部１１ａｂまたは凸状部１１ａｃを穿刺部位に導入するとき、その先端部１１ａの凹状部１１ａｂまたは凸状部１１ａｃに応力が集中して捲れてしまうことをより効果的に防止できる。
【符号の説明】
【００５５】
１  イントロデューサー組立体、
１０  イントロデューサー用シース、
１１  シースチューブ、
１１ａ  先端部、
１１ａａ  端部、
１１ａｂ  凹状部、
１１ａｃ  凸状部、
１１ｂ  本体部、
１１ａｂｃ  変曲部、
１２  シースハブ、
１３  止血弁、
１４  サイドポート、
１５  チューブ、
１６  三方活栓、
２０  ダイレーター、
２１  ダイレーターチューブ、
２２  ダイレーターハブ、
３１  シースチューブ、
３１ａ  先端部、
３１ａａ  端部、
３１ａｂ，３１ａｄ  凹状部、
３１ａｃ，３１ａｅ  凸状部、
３１ｂ  本体部、
３１ａｂｃ，３１ａｄｅ，３１ｃａ，３１ｃｂ  変曲部。
【図１】
2015109881.tif 000004
【図２】
2015109881.tif 000005
【図３】
2015109881.tif 000006
【図４】
2015109881.tif 000007
【図５】
2015109881.tif 000008
【図６】
2015109881.tif 000009
【図７】
2015109881.tif 000010
【図８】
2015109881.tif 000011
【図９】
2015109881.tif 000012